(57)【要約】【課題】被験者のイベント発生時に、容易に心電図波形の測定が可能であると共に、それを表示且つ送信することのできる心電計を提供する。【解決手段】この発明に係る心電計は、被験者の胸部、特に胸骨前面に保持される本体ケースと、この本体ケースから所定の長さ両側に延出する一対のアーム部と、前記本体ケースの被験者胸部側に設けられる第１の電極と、前記一対のアーム部先端に設けられる第２及び第３の電極と、前記第１、第２及び第３の電極からの信号に基づいて被験者の心電図を検出する心電図検出手段とを少なくとも具備するものである。また、前記第１、第２及び第３の電極は、それぞれ所定の間隔を配して設けられることが望ましく、前記第２及び第３の電極の間隔は、５５ｍｍ〜６５ｍｍの範囲であること、前記第１の電極と、前記第２及び第３の電極との間隔は、６０ｍｍ〜７０ｍｍの範囲内であることが望ましい。これによって、衣服の上からでもＰ波とＱＲＳを含む心電図波形の検出が可能となる。【選択図】      図１
2004209024.tif 000002
【特許請求の範囲】
【請求項１】
被験者の胸部に保持される本体ケースと、
該本体ケースから所定の長さ両側に延出する一対のアーム部と、
前記本体ケースの被験者胸部側に設けられる第１の電極と、
前記一対のアーム部先端に設けられる第２及び第３の電極と、
前記第１、第２及び第３の電極からの信号に基づいて被験者の心電図を検出する心電図検出手段を少なくとも具備することを特徴とする心電計。
【請求項２】
第２及び第３の電極は、被験者に対して水平方向に所定の間隔で位置し、第１の電極は、前記第２及び第３の電極の中間点から、鉛直方向に所定の間隔離れて位置することを特徴とする請求項１記載の心電計。
【請求項３】
前記第２及び第３の電極の間隔は、５５ｍｍ〜６５ｍｍの範囲であることを特徴とする請求項２記載の心電計。
【請求項４】
前記第１の電極と、前記第２及び第３の電極との間隔は、６０ｍｍ〜７０ｍｍの範囲内であることを特徴とする請求項２又は３記載の心電計。
【請求項５】
前記第１、第２及び第３の電極は、ノンペースト電極であることを特徴とする請求項１〜４のいずれか一つに記載の心電計。
【請求項６】
前記第１、第２の及び第３の電極は、本体ケース内に配された電気基板の電気回路に接触するスプリングと、該スプリングの先端に設けられた導電性磁石と、該磁石に対して着脱自在である導電性プレートと、該磁性体プレートに固着された導電性ゲルとによって少なくとも構成されることを特徴とする請求項１〜５のいずれか一つに記載の心電計。
【請求項７】
前記第１、第２及び第３の電極を胸部に接触させるように前記本体ケースを被験者の胸部に押圧することによって心電図の検出を開始するスイッチ手段を具備することを特徴とする請求項１〜６のいずれか一つに記載の心電計。
【請求項８】
前記本体ケース前面に設けられ、両方が同時に且つ所定時間押下された場合に、心電図の検出を開始するスイッチ手段を具備することを特徴とする請求項１〜６のいずれか一つに記載の心電計。
【請求項９】
前記心電図検出手段によって検出された心電図を所定の装置に送信する送信手段を具備することを特徴とする請求項１〜８のいずれか一つに記載の心電計。
【請求項１０】
前記本体ケースの設けられ、前記心電図検出手段によって検出された心電図を表示する表示手段を具備することを特徴とする請求項１〜９のいずれか一つに記載の心電計。
【請求項１１】
前記第１の電極がコモン電極であり、前記第２の電極がプラス電極であり、前記第３の電極がマイナス電極であることを特徴とする請求項１〜１０のいずれか一つに記載の心電計。
【請求項１２】
前記第１の電極がプラス電極であり、前記第２の電極がコモン電極であり、前記第３の電極がマイナス電極であることを特徴とする請求項１〜１０のいずれか一つに記載の心電計。
【請求項１３】
前記本体ケースは、吊下手段によって首から吊下されて被験者の胸部に保持されることを特徴とする請求項１〜１２のいずれか一つに記載の心電計。
【請求項１４】
前記吊下手段の被験者の首との接触部分に、脈拍を検出する脈拍検出手段を具備することを特徴とする請求項１３記載の心電計。
【請求項１５】
前記吊下手段は、前記本体ケースに対して着脱自在であることを特徴とする請求項１３又は１４記載の心電計。
【発明の詳細な説明】
【０００１】
【発明が属する技術分野】
この発明は、被験者の胸部、特に前胸部（胸骨前面）に吊下等によって保持される、いわゆるペンダント型で、被験者に発作が行った場合に心電図波形を検出し、この心電図波形を表示、送信することのできる心電計に関する。
【０００２】
【従来の技術】
心電計は、大分類すると、１２誘導心電計と形態可能なホルター心電計に分類される。１２誘導心電計は、医療機関の整理検査室等で使用されている大型の心電計で、基本的には安静時の短期間の精密な心電図が測定される。
【０００３】
ホルター心電計（例えば、特許文献１）は、携帯可能であることから、２４時間連続して心電図波形を検出することができるため、安静時以外の日常生活における心電図波形をデータとして得ることができる。しかしながら、測定データのほとんどは正常なデータであるために、なかなか異常心電図波形を捉えることができないという問題があった。このため、胸部の圧迫感や痛み等（イベント）の発生時に心電図を測定することのできるイベント式心電計（例えば、特許文献２）が多く商品化されている。
【０００４】
【特許文献１】
特開平９−２２４９１７号公報
【特許文献２】
特開平５−１２３３０２号公報
【０００５】
【発明が解決しようする課題】
しかしながら、従来のイベント型心電計は、いずれも単極誘導であり、被験者は一方の電極を手に持ち、他方を胸部を開いて胸部にあてて測定する必要があった。このことは、胸部に圧迫感がある場合や胸部に痛みがある場合には、大変わずらわしい作業であり、特にイベントが発生した被験者が計測するには不可能に近い状態であった。
【０００６】
また、上記特許文献１及び特許文献２で開示される心電計は、本体をキャリーバッグ又はベルトの部分で携帯し、電極を所定の個所に装着したままにしておかなければならないという不具合を有する。
【０００７】
以上のことから、本発明は、被験者のイベント発生時に、容易に心電図波形の測定が可能であると共に、それを表示且つ送信することのできる心電計を提供することにある。
【０００８】
【課題を解決するための手段】
したがって、この発明に係る心電計は、被験者の胸部、特に胸骨前面に保持される本体ケースと、該本体ケースから所定の長さ両側に延出する一対のアーム部と、前記本体ケースの被験者胸部側に設けられる第１の電極と、前記一対のアーム部先端に設けられる第２及び第３の電極と、前記第１、第２及び第３の電極からの信号に基づいて被験者の心電図を検出する心電図検出手段とを少なくとも具備するものである。また、第２及び第３の電極は、被験者に対して水平方向に位置し、第１の電極は、前記第２及び第３の電極の中間点から、鉛直方向に所定の距離離れて位置することが望ましい。この配置によって、いわゆるＰ波及びＱＲＳを良好に計測することが可能となるものである。
【０００９】
また、前記第１、第２及び第３の電極は、それぞれ所定の間隔を配して設けられることが望ましく、前記第２及び第３の電極の間隔は、５５ｍｍ〜６５ｍｍの範囲であること、前記第１の電極と、前記第２及び第３の電極との間隔は、６０ｍｍ〜７０ｍｍの範囲内であることが望ましい。さらに、第２及び第３の電極の間隔は、６０ｍｍであることが望ましく、これに対応して前記第１の電極と、前記第２及び第３の電極との間隔は、６７ｍｍ前後であることが望ましい。これによって、Ｐ波及びＱＲＳを含む精密な心電図波形を計測することが可能となるものである。
【００１０】
さらに、前記第１、第２及び第３の電極は、ノンペースト電極であることが望ましく、本体ケース内に配された電気基板の電気回路に接触するスプリングと、該スプリングの先端に設けられた導電性磁石と、該磁石に対して着脱自在である導電性プレートと、該磁性体プレートに固着された導電性ゲルとによって少なくとも構成されることが望ましい。これによって、衣服の上からでもＰ波及びＱＲＳを含む心電図波形の計測が可能となる。
【００１１】
さらにまた、前記第１、第２及び第３の電極を胸部に接触させるように、例えば、衣服の上から前記本体ケースを被験者の胸部に押圧することによって心電図の検出を開始するスイッチ手段を具備するものであっても、前記本体ケース前面に設けられ、両方が同時に且つ所定時間押下された場合に、心電図の検出を開始するスイッチ手段を具備するものであっても良い。
【００１２】
また、前記心電図検出手段によって検出された心電図を所定の装置に送信する送信手段を具備することが望ましく、さらに、前記本体ケースの設けられ、前記心電図検出手段によって検出された心電図を表示する表示手段を具備することが望ましい。
【００１３】
さらにまた、前記第１の電極がコモン電極であり、前記第２の電極がプラス電極であり、前記第３の電極がマイナス電極であっても良く、前記第１の電極がプラス電極であり、前記第２の電極がコモン電極であり、前記第３の電極がマイナス電極であるものであっても良いものである。
【００１４】
また、前記本体ケースは、吊下手段によって首から吊下されて被験者の胸部、特に胸骨前面に保持されることが望ましく、さらに、前記吊下手段の被験者の首との接触部分に、脈拍を検出する脈拍検出手段を具備するようにしても良いものである。さらにまた、前記吊下手段は、前記本体ケースに対して着脱自在であることが望ましい。
【００１５】
【発明の実施の形態】
以下、この発明の実施の形態について図面により説明する。
【００１６】
図１（ａ），（ｂ）において、本願発明の第１の実施の形態に係る心電計の一例が示される。この心電計１は、首からストラップ２によって吊下げられ、被験者の前胸部、特に胸骨前面に保持される本体ケース３と、この本体ケース３から両側方に延出する一対の電極アーム部４とによって構成される。また、前記本体ケース３の人体側側面３ａには第１の電極（この実施の形態では、コモン電極）５が設けられ、前記電極アーム部４の先端部分には第２及び第３の電極（心電図波形検出電極）６が設けられる。一般に、心電図波形検出電極６は、一方が＋電極で、他方が−電極である。
【００１７】
さらに、前記コモン電極５及び心電図波形検出電極６は、通電性を有する合成樹脂、例えば炭素繊維を含有する合成樹脂からなるノンペースト電極である。このノンペースト電極を用いることによって、衣服の上からでもＰ波及びＱＲＳを検出することが可能となる。
【００１８】
また、前記本体ケース３の前面３ｂには、ＬＣＤパネルからなる表示画面７と、一対の起動スイッチ８ａ，８ｂと、スピーカーが設置される音声表示部９とが設けられる。尚、この実施の形態において、音声表示部９は、ブザーであるが、音声による通知、警報等を行うようにしても良いものである。
【００１９】
また、前記ストラップ２は、紐、鎖等からなり、その先端部分には接着用のマグネット４０が設けられており、図４（ｂ）で示されるケース本体３の側部の所定の位置に設けられた鉄、ステンレス等の磁性体からなる接着プレート４１に前記マグネット４０が接着することによって前記ケース本体３を被験者の胸骨前面に保持するようになっている。これによって、電極を胸骨前面の所定の位置に所定の間隔で配することが可能となるため、心電図波形、特にＰ波及びＱＲＳの検出が可能となるものである。また、前記ストラップ３にある程度以上の力が加わった場合、前記マグネット４０が接着プレート４１から離脱するため、被験者の首吊り事故等を防止することができるものである。
【００２０】
前記本体ケース３の内部には、前記電極５，６によって検出された信号から心電図波形を検出し、表示し、且つ送信するための電気回路１０が設けられる。この電気回路における処理の一例を示したブロック図を図２（ａ）に示す。
【００２１】
このブロック図において、信号検出部１２は、前記電極５，６間に生じた電流値の変化、電圧値の変化、インピダンスの変化等に基づいてアナログの心電図波形信号を検出する。ＡＤ変換部１４は、このアナログの心電図波形信号を、演算部１６によって演算可能なようにデジタル信号に変換する。演算部１６は、図示しない中央演算処理装置（ＣＰＵ）、ランダムアクセルメモリ（ＲＡＭ）、読取専用メモリ（ＲＯＭ）、入出力ポート（Ｉ／Ｏ）等から少なくとも構成され、所定のプログラムに沿って入力信号を演算し且つ出力信号に変換すると共に、信号検出部１２、ＡＤ変換部１４、下記する表示部１８、送信部２０を制御するものである。さらに、この演算部１６において、心電図波形から脈拍数を検出するようにしても良いものである。また、正常時に、前記演算部１６によって演算されて求められた心電図波形を記憶部２４に蓄積し、イベント時に求められた心電図波形と比較して異常の有無、程度を演算できるようにしても良いものである。
【００２２】
さらに、スイッチ制御部（ＳＷ制御部）２２は、前記起動スイッチ８ａ，８ｂと接続され、これらの両方が所定時間、例えば５秒間投入されたことを判定して演算部１６を起動し、各種制御を実行するものである。
【００２３】
さらにまた、表示部１８は、前記演算部１６において演算された心電図波形を前記表示画面７に表示するもので、心電図波形だけでなく脈拍数等を表示するようにしても良いものである。
【００２４】
また、送信部２０は、前記演算部１６の指示によって心電図波形を送信するものである。この実施の形態では、被験者がペースメーカーを装着している場合もあることから、微弱電波によって図２（ｂ）に示された携帯電話等の送信装置３０に装着された受信部３２に一旦送信し、腰やバッグ内に保持された送信装置３０から、あらためて監視センター、主治医のコンピュータ等に送信される構成となっている。尚、その他の構成として、図示しない電池等の電源がある。
【００２５】
以上の構成の電気回路１０で実行される制御の一例を図３で示すステップ１００から開始されるフローチャートに従って説明すると、まずステップ１１０において、起動スイッチ８ａ（ＳＷ１）が押下されたか否か（ＯＮ？）が判定され、ステップ１２０において、起動スイッチ８ｂ（ＳＷ２）が押下されたか否か（ＯＮ？）が判定される。この判定において、両方の起動スイッチ８ａ，８ｂが同時に押下された場合のみ、ステップ１３０に進み、ステップ１３０において、両方の起動スイッチ８ａ，８ｂが押下された状態がｔ秒間（例えば、５秒間）継続しているか否かの判定が行われる。
【００２６】
以上のステップ１１０，１２０，１３０において、両方の起動スイッチ８ａ，８ｂがｔ秒間押下された場合にのみ、被験者が心電図波形の計測を希望していることが確認される。つまり、被験者にイベント（胸部の痛み等）が発生し、被験者が心電計１を胸部に押圧するように、本体ケース３上の起動スイッチ８ａ，８ｂを、例えば５秒間押さえる行為を為したと判定できるものである。
【００２７】
これによって、次なるステップ１４０に進んで、計測開始のブザーを鳴動させ、被験者に計測が開始されることを知らしめる。この実施の形態では、ブザー短音を２回鳴動させることで、計測の開始を被験者に知らせる。そして、ステップ１５０に進んで、所定時間（例えば、３０秒から３分）の間の心電図波形、又は心電図波形と脈拍数を検出し、ステップ１６０に進んで計測終了のブザーを鳴動させる。この場合、ブザー短音を７回鳴動させることで、計測の終了を被験者に知らせる。
【００２８】
そして、ステップ１７０に進んで、表示部１８を介して測定波形を表示画面７に所定時間表示する。これによって、測定波形を被験者が確認したい場合、胸部から心電計１を取り出して表示画面７を見ることができる。また、イベント発生時に、看護者が被験者の心電図波形を確認できる等の利点がある。
【００２９】
そして、ステップ１８０に進んで、測定波形を送信部２０を介して送信装置３０に送信する。これによって、監視センターや、主治医のところで、被験者にイベントが発生したことを確認できると共に、このときの心電図波形を認識できるので、適切な処置が可能となるものである。
【００３０】
以下、図４（ａ），（ｂ）において第２の実施の形態に係る心電計を説明するが、前述した実施の形態と同一の個所又は同一の効果を奏する個所には同一の符号を付してその説明を省略する。
【００３１】
第２の実施の形態に係る心電計１Ａは、電極５Ａ，６Ａのそれぞれに起動スイッチが一体に装着される。つまり、本体ケース３Ａを人体側に押圧することによって電極５Ａ，６Ａが人体と接触して押圧され、これによって電極５Ａ，６Ａが回路と接触して起動が開始されるようになっているものである。これによって、電極５Ａ，６Ａの構造が複雑になるものの、電極５Ａ，６Ａが人体と強く接触するように本体ケース３Ａを押さえることによって自動的に起動スイッチが入るために、イベント発生時の被験者の動作に制限がなくなるため、計測が容易となるものである。
【００３２】
また、この実施の形態では、起動スイッチを前記電極５Ａ，６Ａに一体に設けることによって、表示画面７Ａを大きくすることができるという効果もある。
【００３３】
図５で示す第３の実施の形態に係る心電計１Ｂは、上述した心電計１，１Ａとがさかさまになった形状をしている。具体的には、本体ケース３Ｂの上方部分からアーム部４Ｂの延出しており、起動スイッチ８ａ，８ｂが本体ケース３Ｂの上部に、音声表示部９が本体ケース３Ｂの下部に設けられている。しかしながら、これらの位置は、特に限定されるものではない。
【００３４】
この第３の実施の形態では、図５（ｂ）又は図６で示すように、コモン電極を第２の電極５０とし、プラス電極を第１の電極６０Ａ、マイナス電極を第３の電極６０Ｂとしたものである。また、前記第２の電極５０と第３の電極６０Ｂの間の距離Ｌ２は、５５ｍｍ〜６５ｍｍの範囲、特に６０ｍｍに設定することが望ましく、第１の電極６０Ａは、鉛直方向における第２及び第３の電極からの距離（Ｌ１）が５５〜６５ｍｍ、特に６０ｍｍであることが望ましい。このため、第１の電極６０Ａと、第２の電極５０又は第３の電極６０Ｂとの間の距離（Ｌ３）は、約６７ｍｍとなる。実験によれば、このような電極の設定において、簡易心電計では計測の難しい心電図のＰ波及びＱＲＳを計測することが可能となるものである。
【００３５】
また、上記第１、第２及び第３の電極として用いられることが望ましい電極８０は、図６で示すように、電気基板７０の電気回路端子７１に接触する導電性材料からなるスプリング８１と、このスプリング８１の先端に固定された磁石８２と、この磁石８２に対して着脱自在である磁性体からなるプレート８３と、このプレート８３に固着される導電性ゲル８４とによって構成されることが望ましい。これにより、プレート８３及び導電性ゲル８４によって構成される電極部は、前記磁石８２に対して着脱自在に構成できるため、電極部の導電性が低下した場合にも、これを交換することによって、電極部を常に良好な状態の維持できるものである。
【００３６】
さらに、前記ストラップ２が被験者の首に掛けられることから、図７で示すように、ストラップ２と首との接触部分に、脈拍検出センサ９０を設けても良いものである。首には、脈拍数が計測しやすい動脈が通っていることから、この近傍に脈拍検出センサ９０を配することができるため、脈拍数を常に正確に計測することができるものである。
【００３７】
【発明の効果】
以上説明したように、この発明によれば、心電計をストラップ等によって首から吊下して胸部に保持し、イベント発生時に胸骨前面に保持された心電計を衣服の上から胸骨前面に押圧することによって心電図波形が計測されて、表示、送信されることから、被験者の自然な動作、言い換えると特別な動作なしに、心電図波形の検出・表示・送信が可能となるため、異常時の被験者の心電図波形を正確に把握することができるものである。また、
【００３８】
また、無駄な計測を省略できるので、電力消費を削減することができ、電源としての電池の寿命を延ばすことができる等の効果も有するものである。
【００３９】
さらに、電極の位置と間隔を設定したことから、Ｐ波及びＱＲＳの測定が容易となるため、よりきめの細かい心電波形診断が可能となるものである。
【００３８】
さらにまた、首と接触するストラップの部分に、脈拍検出センサを設けたことによって、脈拍数の検出を容易に行うことができるものである。
【図面の簡単な説明】
【図１】（ａ）は本願発明の第１の実施の形態に係る心電計の正面図であり、（ｂ）はその背面図である。
【図２】（ａ）は本体ケースに収納される電気回路のブロック構成図であり、（ｂ）は送信装置の一例を示したブロック口製図である。
【図３】前記電気回路の制御例を示したフローチャート図である。
【図４】（ａ）は本願発明の第２の実施の形態に係る心電計の正面図であり、（ｂ）はその側面図である。
【図５】（ａ）は本願発明の第３の実施の形態に係る心電計の正面図であり、（ｂ）はその背面図である。
【図６】電極間の距離を示した説明図である。
【図７】電極の構成を示した説明図である。
【図８】ストラップの構造を示した説明図である。
【符号の説明】
１、１Ａ、１Ｂ  心電計
２  ストラップ
３，３Ａ、３Ｂ  本体ケース
４、４Ｂ  電極アーム部
５，５Ａ，６，６Ａ，５０，６０Ａ，６０Ｂ  電極
７  表示画面
８ａ，８ｂ  起動スイッチ
９  音声表示部
１０  電気回路
４０  マグネット
４１  接着プレート
８０  電極
９０  脈拍検出センサ
【図１】
2004209024.tif 000003
【図２】
2004209024.tif 000004
【図３】
2004209024.tif 000005
【図４】
2004209024.tif 000006
【図５】
2004209024.tif 000007
【図６】
2004209024.tif 000008
【図７】
2004209024.tif 000009
【図８】
2004209024.tif 000010
【手続補正書】
【提出日】平成15年6月13日(2003.6.13)
【手続補正１】
【補正対象書類名】明細書
【補正対象項目名】全文
【補正方法】変更
【補正の内容】
【特許請求の範囲】
【請求項１】被験者の胸部に保持される本体ケースと、該本体ケースから所定の長さ両側に延出する一対のアーム部と、前記本体ケースの被験者胸部側に設けられる第１の電極と、前記一対のアーム部先端に設けられる第２及び第３の電極と、前記第１、第２及び第３の電極からの信号に基づいて被験者の心電図を検出する心電図検出手段を少なくとも具備し、前記第２及び第３の電極は、被験者に対して水平方向に所定の間隔で位置し、前記第１の電極は、前記第２及び第３の電極の中間点から、鉛直方向に所定の間隔離れて位置する心電計において、
前記第２及び第３の電極の間隔は、５５ｍｍ〜６５ｍｍの範囲内であり、
前記第１の電極と、前記第２及び第３の電極との間隔は、６０ｍｍ〜７０ｍｍの範囲内であることを特徴とする心電計。
【請求項２】前記第１、第２及び第３の電極は、ノンペースト電極であることを特徴とする請求項１記載の心電計。
【請求項３】前記第１、第２の及び第３の電極は、本体ケース内に配された電気基板の電気回路に接触するスプリングと、該スプリングの先端に設けられた導電性磁石と、該磁石に対して着脱自在である導電性プレートと、該磁性体プレートに固着された導電性ゲルとによって少なくとも構成されることを特徴とする請求項１又は２記載の心電計。
【請求項４】前記第１の電極がプラス電極であり、前記第２の電極がコモン電極であり、前記第３の電極がマイナス電極であることを特徴とする請求項１〜３のいずれか一つに記載の心電計。
【請求項５】前記本体ケースは、吊下手段によって首から吊下されて被験者の胸部に保持されることを特徴とする請求項１〜４のいずれか一つに記載の心電計。
【請求項６】前記吊下手段の被験者の首との接触部分に、脈拍を検出する脈拍検出手段を具備することを特徴とする請求項５記載の心電計。
【発明の詳細な説明】
【０００１】
【発明が属する技術分野】
この発明は、被験者の胸部、特に前胸部（胸骨前面）に吊下等によって保持される、いわゆるペンダント型で、被験者に発作が行った場合に心電図波形を検出し、この心電図波形を表示、送信することのできる心電計に関する。
【０００２】
【従来の技術】
心電計は、大分類すると、１２誘導心電計と形態可能なホルター心電計に分類される。１２誘導心電計は、医療機関の整理検査室等で使用されている大型の心電計で、基本的には安静時の短期間の精密な心電図が測定される。
【０００３】
ホルター心電計（例えば、特許文献１）は、携帯可能であることから、２４時間連続して心電図波形を検出することができるため、安静時以外の日常生活における心電図波形をデータとして得ることができる。しかしながら、測定データのほとんどは正常なデータであるために、なかなか異常心電図波形を捉えることができないという問題があった。このため、胸部の圧迫感や痛み等（イベント）の発生時に心電図を測定することのできるイベント式心電計（例えば、特許文献２）が多く商品化されている。
【０００４】
【特許文献１】
特開平９−２２４９１７号公報
【特許文献２】
特開平５−１２３３０２号公報
【０００５】
【発明が解決しようする課題】
しかしながら、従来のイベント型心電計は、いずれも単極誘導であり、被験者は一方の電極を手に持ち、他方の電極を、胸部を開いて胸部にあてて測定する必要があった。このことは、胸部に圧迫感がある場合や胸部に痛みがある場合には、大変わずらわしい作業であり、特にイベントが発生した被験者が計測するには不可能に近い状態であった。
【０００６】
また、上記特許文献１及び特許文献２で開示される心電計は、本体をキャリーバッグ又はベルトの部分で携帯し、電極を所定の個所に装着したままにしておかなければならないという不具合を有する。
【０００７】
以上のことから、本発明は、被験者のイベント発生時に、心電図波形の測定が可能であると共に、Ｐ波及びＱＲＳ波の良好な計測が可能な心電計を提供することにある。
【０００８】
【課題を解決するための手段】
したがって、この発明は、被験者の胸部に保持される本体ケースと、該本体ケースから所定の長さ両側に延出する一対のアーム部と、前記本体ケースの被験者胸部側に設けられる第１の電極と、前記一対のアーム部先端に設けられる第２及び第３の電極と、前記第１、第２及び第３の電極からの信号に基づいて被験者の心電図を検出する心電図検出手段を少なくとも具備し、前記第２及び第３の電極は、被験者に対して水平方向に所定の間隔で位置し、前記第１の電極は、前記第２及び第３の電極の中間点から、鉛直方向に所定の間隔離れて位置する心電計において、前記第２及び第３の電極の間隔は、５５ｍｍ〜６５ｍｍの範囲内であり、前記第１の電極と、前記第２及び第３の電極との間隔は、６０ｍｍ〜７０ｍｍの範囲内であることにある。この配置によって、いわゆるＰ波及びＱＲＳの良好な計測が可能となるものである。
【０００９】
さらに、前記第１、第２及び第３の電極は、ノンペースト電極であることが望ましく、本体ケース内に配された電気基板の電気回路に接触するスプリングと、該スプリングの先端に設けられた導電性磁石と、該磁石に対して着脱自在である導電性プレートと、該磁性体プレートに固着された導電性ゲルとによって少なくとも構成されることが望ましい。これによって、衣服の上からでもＰ波及びＱＲＳを含む心電図波形の計測が可能となる。
【００１０】
さらにまた、前記第１、第２及び第３の電極を胸部に接触させるように、例えば、衣服の上から前記本体ケースを被験者の胸部に押圧することによって心電図の検出を開始するスイッチ手段を具備するものであっても、前記本体ケース前面に設けられ、両方が同時に且つ所定時間押下された場合に、心電図の検出を開始するスイッチ手段を具備するものであっても良い。
【００１１】
また、前記心電図検出手段によって検出された心電図を所定の装置に送信する送信手段を具備することが望ましく、さらに、前記本体ケースに設けられ、前記心電図検出手段によって検出された心電図を表示する表示手段を具備することが望ましい。
【００１２】
さらにまた、前記第１の電極がプラス電極であり、前記第２の電極がコモン電極であり、前記第３の電極がマイナス電極であることが望ましい。
【００１３】
また、前記本体ケースは、吊下手段によって首から吊下されて被験者の胸部、特に胸骨前面に保持されることが望ましく、さらに、前記吊下手段の被験者の首との接触部分に、脈拍を検出する脈拍検出手段を具備するようにしても良いものである。さらにまた、前記吊下手段は、前記本体ケースに対して着脱自在であることが望ましい。
【００１４】
【発明の実施の形態】
以下、この発明の実施の形態について図面により説明する。
【００１５】
図１（ａ），（ｂ）において、本願発明の実施の形態に係る心電計の一例が示される。この心電計１Ｂは、首からストラップ２によって吊下げられ、被験者の前胸部、特に胸骨前面に保持される本体ケース３Ｂと、この本体ケース３Ｂから両側方に延出する一対の電極アーム部４Ｂとによって構成される。また、前記本体ケース３の人体側側面３ａには第１の電極５０が設けられ、前記電極アーム部４Ｂの先端部分には第２及び第３の電極６０Ａ，６０Ｂが設けられる。
【００１６】
また、前記本体ケース３Ｂの前面３ｂには、ＬＣＤパネルからなる表示画面７と、一対の起動スイッチ８ａ，８ｂと、スピーカーが設置される音声表示部９とが設けられる。尚、この実施の形態において、音声表示部９は、ブザーであるが、音声による通知、警報等を行うようにしても良いものである。
【００１７】
また、前記ストラップ２は、紐、鎖等からなり、その先端部分には接着用のマグネットが設けられており、前記ケース本体３Ｂを被験者の胸骨前面に保持するようになっている。これによって、電極を胸骨前面の所定の位置に所定の間隔で配することが可能となるため、心電図波形、特にＰ波及びＱＲＳの検出が可能となるものである。
【００１８】
前記本体ケース３Ｂの内部には、前記第１，第２及び第３の電極５０，６０Ａ，６０Ｂによって検出された信号から心電図波形を検出し、表示し、且つ送信するための電気回路が設けられる。
【００１９】
前記心電計１Ｂにおいて、本体ケース３Ｂの上方部分からアーム部４Ｂの延出しており、起動スイッチ８ａ，８ｂが本体ケース３Ｂの上部に、音声表示部９が本体ケース３Ｂの下部に設けられている。しかしながら、これらの位置は、特に限定されるものではない。
【００２０】
この実施の形態では、図１（ｂ）又は図２で示すように、第２の電極５０がコモン電極であり、第１の電極６０Ａがプラス電極、第３の電極６０Ｂがマイナス電極とすることが望ましい。また、前記第２の電極５０と第３の電極６０Ｂの間の距離Ｌ２は、５５ｍｍ〜６５ｍｍの範囲、特に６０ｍｍに設定することが望ましく、第１の電極６０Ａは、鉛直方向における第２及び第３の電極からの距離（Ｌ１）が５５〜６５ｍｍ、特に６０ｍｍであることが望ましい。このため、第１の電極６０Ａと、第２の電極５０又は第３の電極６０Ｂとの間の距離（Ｌ３）は、約６７ｍｍとなる。実験によれば、このような電極の設定において、簡易心電計では計測の難しい心電図のＰ波及びＱＲＳを計測することが可能となるものである。
【００２１】
また、上記第１、第２及び第３の電極としての電極８０は、図６で示すように、電気基板７０の電気回路端子７１に接触する導電性材料からなるスプリング８１と、このスプリング８１の先端に固定された磁石８２と、この磁石８２に対して着脱自在である磁性体からなるプレート８３と、このプレート８３に固着される導電性ゲル８４とによって構成されることが望ましい。これにより、プレート８３及び導電性ゲル８４によって構成される電極部は、前記磁石８２に対して着脱自在に構成できるため、電極部の導電性が低下した場合にも、これを交換することによって、電極部を常に良好な状態の維持できるものである。
【００２２】
さらに、前記ストラップ２が被験者の首に掛けられることから、図４で示すように、ストラップ２と首との接触部分に、脈拍検出センサ９０を設けても良いものである。首には、脈拍数が計測しやすい動脈が通っていることから、この近傍に脈拍検出センサ９０を配することができるため、脈拍数を常に正確に計測することができるものである。
【００２３】
【発明の効果】
以上説明したように、この発明によれば、心電計をストラップ等によって首から吊下して胸部に保持し、イベント発生時に胸骨前面に保持された心電計を衣服の上から胸骨前面に押圧することによって心電図波形が計測されて、表示、送信されることから、被験者の自然な動作、言い換えると特別な動作なしに、心電図波形の検出・表示・送信が可能となるため、異常時の被験者の心電図波形を正確に把握することができるものである。
【００２４】
また、無駄な計測を省略できるので、電力消費を削減することができ、電源としての電池の寿命を延ばすことができる等の効果も有するものである。
【００２５】
さらに、電極の位置と間隔を最適なものとしたことから、Ｐ波及びＱＲＳの測定が容易となるため、よりきめの細かい心電波形診断が可能となるものである。
【００２６】
さらにまた、首と接触するストラップの部分に、脈拍検出センサを設けたことによって、脈拍数の検出を容易に行うことができるものである。
【図面の簡単な説明】
【図１】（ａ）は本願発明の実施の形態に係る心電計の正面図であり、（ｂ）はその背面図である。
【図２】電極間の距離を示した説明図である。
【図３】電極の構成を示した説明図である。
【図４】ストラップの構造を示した説明図である。
【符号の説明】
１Ｂ  心電計
２  ストラップ
３Ｂ  本体ケース
４Ｂ  電極アーム部
５０，６０Ａ，６０Ｂ  電極
７  表示画面
８ａ，８ｂ  起動スイッチ
９  音声表示部
８０  電極
９０  脈拍検出センサ


【手続補正２】
【補正対象書類名】図面
【補正対象項目名】全図
【補正方法】変更
【補正の内容】
【図１】
2004209024.tif 000011
【図２】
2004209024.tif 000012
【図３】
2004209024.tif 000013
【図４】
2004209024.tif 000014